(57)【要約】【課題】運転モードと待機モードの切換えに伴なって、スイッチング素子の接点不良が発生することを防止した給湯装置を提供する。【解決手段】運転モードにおいては給湯装置本体１０ａのスイッチング電源回路１２を常時作動させ、待機モードにおいては、コンデンサ５８の端子間電圧Ｖc1が下限電圧以下となったときにスイッチング電源回路１２を作動させ、コンデンサ５８の端子間電圧Ｖcが上限電圧以上となったときにスイッチング電源回路１２の作動を停止する処理を、繰り返し実行するスイッチング切換手段６２を備える。【選択図】  図１
2011163600.tif 000002
【特許請求の範囲】
【請求項１】
商用電源から供給される交流電圧を整流する整流回路と、
前記整流回路から出力される直流電圧をスイッチング素子によりオン／オフして、所定レベルの直流電圧を生成するスイッチング電源回路と、
前記スイッチング電源回路の出力端子に接続されて、前記スイッチング電源回路から出力される直流電力によって充電される蓄電手段と、
前記スイッチング電源回路の出力端子に接続されて、前記スイッチング電源回路又は前記蓄電手段からの供給電力により作動し、所定信号の入力に応じて、給湯運転を行なう運転モードと給湯運転を行なわない待機モードとを切り換える制御手段と、
前記蓄電手段の出力電圧を検出する電圧検出手段と、
前記運転モードにおいては前記スイッチング電源回路を常時作動させ、前記待機モードにおいては、前記蓄電手段の端子間電圧が所定の下限電圧以下になるまで前記スイッチング電源回路を停止状態として、前記蓄電手段の端子間電圧が該下限電圧以下になった時に前記スイッチング電源回路を作動させ、前記蓄電手段の端子間電圧が前記下限電圧よりも高い上限電圧以上となったときに前記蓄電手段の作動を停止する処理を、繰り返し実行するスイッチング切換手段とを特徴とする給湯装置。
【請求項２】
商用電源から供給される交流電圧を整流する整流回路と、
前記整流回路から出力される直流電圧をスイッチング素子によりオン／オフして、所定レベルの直流電圧を生成するスイッチング電源回路と、
前記スイッチング電源回路の出力端子に接続されて、前記スイッチング電源回路から出力される直流電力によって充電される蓄電手段と、
前記スイッチング電源回路の出力端子に接続されて、前記スイッチング電源回路又は前記蓄電手段からの供給電力により作動し、所定信号の入力に応じて、給湯運転を行なう運転モードと給湯運転を行なわない待機モードとを切換える制御手段と、
前記運転モードにおいては前記スイッチング電源回路を常時作動させ、前記待機モードにおいては、前記蓄電手段の容量に応じて設定された放電可能時間が経過するまで、前記スイッチング電源を停止状態として、該放電可能時間が経過した時に前記スイッチング電源回路を前記蓄電手段の充電に要する時間に応じて設定された充電所要時間だけ作動させる処理を、繰り返し実行するスイッチング切換手段とを備えたことを特徴とする給湯装置。
【請求項３】
請求項１又は請求項２記載の給湯装置において、
給湯装置本体の作動を遠隔制御するリモコンを備え、
前記整流回路及び前記スイッチング電源回路は給湯装置本体に設けられ、
前記蓄電手段と前記制御手段と前記スイッチング電源制御手段とは、リモコンに設けられて、
前記スイッチング電源回路の出力電力は、前記給湯装置本体と前記リモコンを接続する電源線を介して、前記蓄電手段及び前記制御手段に供給され、
前記スイッチング切換手段は、前記給湯装置本体とリモコンとを接続する信号線を介して、前記スイッチング電源回路の作動／停止信号を送信することによって、前記スイッチング電源回路の作動と停止を切換え、
前記所定信号は、前記リモコンに備えられた運転スイッチの操作信号であることを特徴とする給湯装置。
【請求項４】
請求項１又は請求項２記載の給湯装置において、
給水管からの給水の有無を検出する水量センサを備え、
前記所定信号は、前記水量センサによる給水有無の検出信号であり、
前記制御手段は、前記水量センサにより給水有りと検出されているときは前記運転モードとし、前記水量センサにより給水無しと検出されているときには前記待機モードとすることを特徴とする給湯装置。
【発明の詳細な説明】
【技術分野】
【０００１】
本発明は、商用電源から供給される交流電力を整流した直流電力により作動する制御手段を備えた給湯装置に関する。
【背景技術】
【０００２】
従来より、商用電源から供給される電力により作動する給湯装置において、給湯装置が給湯運転を停止した状態（待機モード）にあるときに商用電源と給湯装置との接続を漏電ブレーカの電源遮断機構を利用して遮断することにより、給湯装置本体やリモコンで消費される電力を抑制する構成が提案されている（例えば、特許文献１参照）。
【０００３】
そして、特許文献１に記載された給湯装置においては、待機モードでは給湯装置本体に設けられたバックアップ電源（コンデンサ）からリモコンに電力を供給し、リモコンの運転スイッチが操作されたときに、漏電ブレーカをオン（導通）して給湯装置を運転モードに切換えている。
【先行技術文献】
【特許文献】
【０００４】
【特許文献１】特開２００４−１９０９０５号公報
【発明の概要】
【発明が解決しようとする課題】
【０００５】
上述した従来の給湯装置では、漏電ブレーカの電源遮断機構を利用して、商用電源と給湯装置との接続と遮断とを切換えている。そして、運転モードと待機モードが頻繁に切換えられるときには、漏電ブレーカ内部のスイッチング素子であるリレーが頻繁にオン／オフされるが、漏電ブレーカ内部のリレーは、このような頻繁なオン／オフを想定した仕様とはなっていない。そのため、オン／オフの繰り返しによりリレー接点の劣化が促進されて、リレーの接点不良（接点の溶着、接触不良等）が生じるおそれがある。
【０００６】
そこで、本発明は、運転モードと待機モードの切換えに伴なって、スイッチング素子の接点不良が発生することを防止した給湯装置を提供することを目的とする。
【課題を解決するための手段】
【０００７】
本発明は上記目的を達成するためになされたものであり、本発明の給湯装置は、商用電源から供給される交流電圧を整流する整流回路と、前記整流回路から出力される直流電圧をスイッチング素子によりオン／オフして、所定レベルの直流電圧を生成するスイッチング電源回路と、前記スイッチング電源回路の出力端子に接続されて、前記スイッチング電源回路から出力される直流電力によって充電される蓄電手段と、前記スイッチング電源回路の出力端子に接続されて、前記スイッチング電源回路又は前記蓄電手段からの供給電力により作動し、所定信号の入力に応じて、給湯運転を行なう運転モードと給湯運転を行なわない待機モードとを切り換える制御手段とを備えている。
【０００８】
そして、本発明の第１の態様は、前記蓄電手段の出力電圧を検出する電圧検出手段と、前記運転モードにおいては前記スイッチング電源回路を常時作動させ、前記待機モードにおいては、前記蓄電手段の端子間電圧が所定の下限電圧以下になるまで前記スイッチング電源回路を停止状態として、前記蓄電手段の端子間電圧が該下限電圧以下になった時に前記スイッチング電源回路を作動させ、前記蓄電手段の端子間電圧が前記下限電圧よりも高い上限電圧以上となったときに前記蓄電手段の作動を停止する処理を、繰り返し実行するスイッチング切換手段とを備えたことを特徴とする。
【０００９】
かかる本発明によれば、前記待機モードであって前記蓄電手段の端子間電圧が前記下限電圧以下であるときは、前記スイッチング切換手段により、前記スイッチング電源が作動状態とされて前記蓄電手段が端子間電圧が前記上限電圧以上になるまで充電され、前記蓄電手段の端子間電圧が前記下限電圧以下になるまで、前記スイッチング電源が停止状態とされる。そして、前記スイッチング電源が停止状態であるときには、前記制御手段が前記蓄電手段からの供給電力により作動して、前記商用電源から前記制御手段への電力供給が停止するため、待機モードにおける商用電源の電力消費を低減することができる。
【００１０】
そして、前記スイッチング電源回路を構成するスイッチング素子には、頻繁なオン／オフの切換え動作に対応したトランジスタやＦＥＴ等の半導体素子が用いられているため、運転モードと待機モードの切換えに伴なう前記スイッチング電源回路の作動と停止によって、スイッチング素子の接点不良が生じることを防止することができる。
【００１１】
次に、本発明の第２の態様は、前記運転モードにおいては前記スイッチング電源回路を常時作動させ、前記待機モードにおいては、前記蓄電手段の容量に応じて設定された放電可能時間が経過するまで、前記スイッチング電源を停止状態として、該放電可能時間が経過した時に前記スイッチング電源回路を前記蓄電手段の充電に要する時間に応じて設定された充電所要時間だけ作動させる処理を、繰り返し実行するスイッチング切換手段とを備えたことを特徴とする。
【００１２】
かかる本発明によれば、前記待機モードであるときに、前記スイッチング切換手段によって、前記放電可能時間が経過するまで前記スイッチング電源を停止状態として、該放電可能時間が経過した時に前記スイッチング電源回路を前記充電所要時間だけ作動させる処理が、繰り返し実行される。そして、前記スイッチング電源が停止状態であるときには、前記制御手段が前記蓄電手段からの供給電力により作動して、前記商用電源から前記制御手段への電力供給が停止するため、待機モードにおける商用電源からの電力の消費を低減することができる。
【００１３】
そして、前記スイッチング電源回路を構成するスイッチング素子には、頻繁なオン／オフの切換え動作に対応したトランジスタやＦＥＴ等の半導体素子が用いられているため、運転モードと待機モードの切換えに伴なう前記スイッチング電源回路の作動と停止によって、スイッチング素子の接点不良が生じることを防止することができる。
【００１４】
また、前記第１の態様及び前記第２の態様において、給湯装置本体の作動を遠隔制御するリモコンを備え、前記整流回路及び前記スイッチング電源回路は給湯装置本体に設けられ、前記蓄電手段と前記制御手段と前記スイッチング電源制御手段とは、リモコンに設けられて、前記スイッチング電源回路の出力電力は、前記給湯装置本体をリモコンとを接続するケーブルを介して、前記蓄電手段及び前記制御手段に供給され、前記スイッチング切換手段は、前記給湯装置本体とリモコンとを接続する信号ケーブルを介して、前記スイッチング電源回路の作動／停止信号を送信することによって、前記スイッチング電源回路の作動と停止を切換え、前記所定信号は、前記リモコンに備えられた運転スイッチの操作信号であることを特徴とする。
【００１５】
かかる本発明によれば、給湯装置本体からリモコンに電力供給される構成において、商用電源からの電力の供給と遮断を切換えるスイッチング素子の接点不良が生じることを防止して、待機モードにおける商用電源からの電力の消費を抑制することができる。さらに、前記蓄電手段をリモコン側に設けることにより、前記待機にモードにおける給湯装置本体での電力消費をゼロにすることができる。また、前記蓄電手段を給湯装置本体側に設けて、給湯装置本体からリモコンに接続ケーブルを介して電力を供給する構成とした場合に生じる、該接続ケーブルでの電力損失を回避することができる。
【００１６】
また、前記第１の態様及び前記第２の態様において、給水管からの給水の有無を検出する水量センサを備え、前記所定信号は、前記水量センサによる給水有無の検出信号であり、前記制御手段は、前記水量センサにより給水有りと検出されているときは前記運転モードとし、前記水量センサにより給水無しと検出されているときには前記待機モードとすることを特徴とする。
【００１７】
かかる本発明によれば、水量センサによる給水の有無の検出状況に応じて、運転モードと待機モードとが切換えられる構成において、商用電源からの電力の供給と遮断を切換えるスイッチング素子の接点異常が生じることを防止して、待機モードにおける商用電源からの電力の消費を抑制することができる。
【図面の簡単な説明】
【００１８】
【図１】本発明の第１の実施形態の給湯装置の構成図。
【図２】本発明の第２の実施形態の給湯装置の構成図。
【発明を実施するための形態】
【００１９】
本発明の実施の形態について、図１，２を参照して説明する。
【００２０】
［第１の実施形態］
先ず、図１を参照して、本発明の第１の実施形態について説明する。
【００２１】
第１の実施形態の給湯装置は、給湯装置本体１０ａと、接続ケーブル４０を介して給湯装置本体１０ａと接続されたリモコン５０とにより構成されている。
【００２２】
給湯装置本体１０ａは、漏電ブレーカ２を介して商用電源１と接続されて、商用電源１から供給される交流電圧Ｖａを整流する整流回路１１と、整流回路１１の出力電圧Ｖdをスイッチング素子（ＦＥＴ，トランジスタ等の半導体素子）によりオン／オフして、平滑化することでＤＣ１３Ｖの電圧Ｖ13を出力するスイッチング電源１２と、スイッチング電源回路１２に対して、作動と停止（スイッチング動作の実行／停止）を指示するスイッチング電源ラッチ回路１３と、電圧Ｖ13をＤＣ５Ｖの電圧Ｖ5に変換するＤＣ／ＤＣコンバータ１４と、リモコン５０との間で通信線４１ａ，４１ｂを介して通信を行うリモコン通信回路１７と、給湯装置本体１０ａの全体的な作動を制御するマイクロコンピュータ３０ａ（以下、マイコン３０ａという）とを備えている。
【００２３】
マイコン３０ａは、ＤＣ／ＤＣコンバータ１４から出力される電圧Ｖ5を電源として作動し、メモリ（図示しない）に保持された給湯装置の制御用プログラムを実行することにより、給水管（図示しない）から供給される水をバーナ（図示しない）を熱源とする熱交換器（図示しない）により加熱して、リモコン５０により設定された目標給湯温度の湯を給湯管（図示しない）に出湯する給湯運転を実行する給湯制御手段３１ａを備えている。
【００２４】
マイコン３０ａの通信ポートcom1，com2はリモコン通信回路１７と接続され、マイコン３０ａは、通信ポートcom1，com2を介してデータの入出力を行なう。また、マイコン３０ａのＡＤ変換（アナログ／デジタル変換）ポートADには、上水道から給水管に供給される水の流量を検出する水量センサ１８が接続されており、水量センサ１８による流量の検出信号がＡＤ変換ポートADに入力される。
【００２５】
リモコン５０は、給湯装置本体１０ａの作動を遠隔操作するためのものであり、給湯装置本体１０ａとの間で通信線４１ａ，４１ｂを介して通信を行うためのリモコン通信回路５１と、通信線４１ａ，４１ｂを介して、給湯装置本体１０ａから供給される電圧Ｖ13をＤＣ５Ｖの電圧Ｖ5に変換するＤＣ／ＤＣコンバータ５２と、上述した給湯装置本体１０ａのスイッチング電源ラッチ回路１３と信号線４２ａ，４２ｂを介して接続されて、スイッチング電源回路１２の作動／停止を切換える信号を、スイッチング電源ラッチ回路１３に出力するスイッチング電源作動／停止回路５５と、給湯装置本体１０ａに対して、給湯運転を実行する運転モードと給湯運転の実行を禁止する待機モードとの切換えを指示する運転スイッチ５７と、運転スイッチ５７や他のスイッチ（温度設定スイッチ等）の操作に応じたスイッチ操作信号を出力するスイッチ入力回路５６と、リモコン５０の全体的な作動を制御するマイクロコンピュータ６０（以下、マイコン６０という）とを備えている。
【００２６】
マイコン６０は、ＤＣ／ＤＣコンバータ５２から出力されるＶ5を電源として作動し、メモリ（図示しない）に保持された給湯装置の制御用プログラムを実行することにより、各種スイッチの操作に応じて給湯装置本体１０ａの作動を制御するリモコン制御手段６１（本発明の制御手段に相当する）、及び給湯装置本体１０ａのスイッチング電源回路１２の作動と停止を切換えるスイッチング切換手段６２として機能する。
【００２７】
また、ＤＣ／ＤＣコンバータ５２の入力端子間にはコンデンサ５３が接続され、ＤＣ／ＤＣコンバータ５２の出力端子間にはコンデンサ５４及びコンデンサ５８（本発明の蓄電手段に相当する）が接続されている。コンデンサ５４，５８は、スイッチング電源回路１２が作動して、ＤＣ／ＤＣコンバータ５２にＶ13の電力が供給されているときに、ＤＣ／ＤＣコンバータ５２から出力されるＶ5の電力により充電される。
【００２８】
マイコン６０の通信ポートcom1，com2はリモコン通信回路５１と接続され、マイコン６０は通信ポートcom1，com2を介してデータの入出力を行う。また、マイコン６０のＡＤ変換（アナログ／デジタル変換）ポートADは、コンデンサ５８の高電位側端子に接続されており、マイコン６０はコンデンサ５４の端子間電圧Ｖc1をデジタル値に変換して読み込む。また、マイコン６０のスイッチ入力端子SWinは、スイッチ入力回路５６に接続され、マイコン６０は、各スイッチの操作状況をスイッチ入力端子SWinに入力されるスイッチ操作信号によって認識する。
【００２９】
次に、スイッチング切換手段６２の作動について説明する。スイッチング切換手段６２は、運転モードにおいては、マイコン６０のポートPonの出力をHighレベル（V5レベル）にすると共に、ポートPoffの出力をLow（G5レベルとする）。この場合は、信号線４２ａ，４２ｂを介して、スイッチング電源作動／停止回路５５からスイッチング電源ラッチ回路１３に対して、スイッチング電源回路１２の作動を指示する信号が出力される状態となって、スイッチング電源回路１２が作動状態に維持される。
【００３０】
そして、スイッチング電源回路１２から供給される電力により、給湯装置本体１０ａの給湯制御手段３１ａが作動して、水量センサ１８により下限水量以上の給水管への給水が検出されたときに、給湯運転を実行する。
【００３１】
一方、リモコン制御手段６１により、運転モードから待機モードに切換えられたときには、スイッチ切換手段６２は、マイコン６０のポートPonの出力をLowレベル（G5レベル）にすると共に、ポートPoffの出力をHigh（V5レベル）とする。この場合は、信号線４２ａ，４２ｂを介して、スイッチング電源作動／停止回路５５からスイッチング電源ラッチ回路１３に対して、スイッチング電源回路１２の停止を指示する信号が出力される状態となって、スイッチング電源回路が停止状態に維持される。
【００３２】
このようにしてスイッチング電源回路１２の作動が停止すると、給湯装置本体１０ａからリモコン５０への通信線４１ａ，４１ｂを介した電力供給が停止して、ＤＣ／ＤＣコンバータ５２からマイコン５０への電力供給も停止するが、マイコン６０はコンデンサ５８からの放電電力によって作動を継続することができる。このようにスイッチング電源回路１２を停止状態とすることにより、商用電源１から供給される電力の消費を抑制することができる。
【００３３】
そして、スイッチング切換手段６２は、スイッチング電源回路１２の作動が停止している間は、コンデンサ５８の端子間電圧Ｖcを監視し、コンデンサ５８の端子間電圧Ｖcが下限電圧以下になったときに、マイコン６０のポートPonの出力をHighレベル（V5レベル）にすると共に、ポートPoffの出力をLow（G5レベルとする）。これにより、スイッチ電源回路１２が作動して、リモコン５０のＤＣ／ＤＣコンバータ５２からの電力出力が再開されて、コンデンサ５８が充電される。
【００３４】
そして、スイッチング切換手段６２は、コンデンサ５８の端子間電圧Ｖcが満充電レベルとなったときに、マイコン６０のポートPonの出力をLowレベル（G5レベル）にすると共に、ポートPoffの出力をHigh（V5レベルとする）。これにより、スイッチング電源回路１２が停止状態となる。
【００３５】
このように、スイッチング切換手段６２は、待機モードにおいて、コンデンサ５８の端子間電圧Ｖc1が下限電圧以下になったときに、スイッチング電源回路１２を作動させてコンデンサ５８を充電し、コンデンサ５８の端子間電圧Ｖcが満充電レベルになったときに、スイッチング電源回路１２の作動を停止して、コンデンサ５８の放電電力によりマイコン６０の作動を維持する処理を、繰り返し実行する。そして、これにより、商用電源１からの供給電力の消費を抑制している。
【００３６】
なお、スイッチング電源回路１２を作動させてコンデンサ５８を端子間電圧Ｖc1が上限電圧以上になるまで充電するのに要する時間（充電所要時間）と、コンデンサ５８を端子間電圧Ｖc1が上限電圧以上になるまで充電した状態から、端子間電圧Ｖc1が下限電圧まで低下するのに要する時間（放電可能時間）は、コンデンサ５８の容量と、マイコン６０の消費電力と、スイッチング電源回路１２からＤＣ／ＤＣコンバータ５２への供給電力等に基づいて推定することができる。
【００３７】
そこで、コンデンサ５８の端子間電圧Ｖcを監視する構成に代えて、運転モードから待機状態に切換えられたときに、放電可能時間が経過した時にスイッチング電源回路１２を作動させてコンデンサ５８を充電し、充電所要時間が経過したときにスイッチング電源回路１２の作動を停止する処理を繰り返す構成としてもよい。
【００３８】
［第２の実施形態］
次に、図２を参照して、本発明の第２の実施形態について説明する。
【００３９】
第２の実施形態の給湯装置は、給湯装置本体１０ｂのみより構成され、上述したリモコン５０は備えられていない。なお、上述した第１の実施形態の給湯装置本体１０ａと同様の構成については、同一の符号を付して説明を省略する。
【００４０】
給湯装置本体１０ｂにおいては、スイッチング電源ラッチ回路１３が、マイクロコンピュータ３０ｂ（以下、マイコン３０ｂという）の出力ポートPon，Poffに接続されている。また、ＤＣ／ＤＣコンバータ１４の出力端子間に、マイコン３０ｂのバックアップ電源としてコンデンサ１９（本発明の蓄電手段に相当する）が接続されている。コンデンサ１９は、スイッチング電源回路１２が作動して、ＤＣ／ＤＣコンバータ１４にＶ13の電力が供給されているときに、ＤＣ／ＤＣコンバータ１４から出力される電力により充電される。
【００４１】
マイコン３０ｂは、ＤＣ／ＤＣコンバータ１４から出力されるＶ5を電源として作動し、メモリ（図示しない）に保持された給湯装置の制御用プログラムを実行することにより、給湯運転を実行する給湯制御手段３１ｂ、及びスイッチング電源回路１２の作動と停止を切換えるスイッチング切換手段３２として機能する。
【００４２】
また、マイコン３０ｂのＡＤ変換（アナログ／デジタル変換）ポートADは、コンデンサ１９の高電位側端子に接続されており、マイコン３０ｂはコンデンサ１９の端子間電圧Ｖc2をデジタル値に変換して読み込む。
【００４３】
次に、給湯制御手段３１ｂ及びスイッチング切換手段３２の動作について説明する。給湯制御手段３１ｂは、水量センサ１８により下限水量以上の給水管への給水が検出されているときに、給湯運転を実行する。そして、第２の実施形態では、給湯運転が実行されているときが運転モードとなる。一方、水量センサ１８により下限水量以上の給水管への給水が検出されていないときには、給湯制御手段３１ｂは給湯運転を実行しない。そして、第２の実施形態では、給湯運転が実行されていないときが待機モードとなる。
【００４４】
スイッチング切換手段３２は、運転モードにおいては、マイコン３０ｂのポートPonの出力をHighレベル（V5レベル）にすると共に、ポートPoffの出力をLow（G5レベル）とする。この場合は、スイッチング電源ラッチ回路１３からスイッチング電源回路１２に対して作動を指示する信号が出力される状態となって、スイッチング電源１２が作動状態に維持される。そして、スイッチング電源回路１２から供給される電力により、マイコン３０ｂが作動して、給湯制御手段３１ｂにより給湯運転が実行される。
【００４５】
一方、運転モードから待機モードに切り換わったときには、スイッチング切換手段３２は、マイコン３０ｂのポートPonの出力をLowレベル（G5レベル）にすると共に、ポートPoffの出力を瞬間的にHigh（V5レベルとする）とする（Low→High→Lowのパルス出力）。この場合は、スイッチング電源ラッチ回路１３からスイッチング電源回路１２に対して、作動の停止を指示する信号が出力される状態となって、スイッチング電源回路１２の作動が停止する。
【００４６】
ここで、スイッチング電源回路１２の作動が停止すると、スイッチング電源回路１２からＤＣ／ＤＣコンバータ１４への電力供給が停止して、ＤＣ／ＤＣコンバータ１４からマイコン３０ｂへの電力供給も停止するが、マイコン３０ｂはコンデンサ１９からの放電電力によって動作を継続することができる。このようにスイッチング電源回路１２を停止状態とすることにより、商用電源１から供給される電力の消費を抑制することができる。
【００４７】
そして、スイッチング切換手段３２は、スイッチング電源回路１２の作動が停止している間は、コンデンサ１９の端子間電圧Ｖc2を監視し、コンデンサ１９の端子間電圧Ｖc2が下限電圧以下になったときに、マイコン３０ｂのポートPonの出力をHighレベル（V5レベル）にすると共に、ポートPoffの出力をLow（G5レベルとする）。これにより、スイッチング電源回路１２が作動して、ＤＣ／ＤＣコンバータ１４からの電力出力が再開され、コンデンサ１９が充電される。
【００４８】
そして、スイッチング切換手段３２は、コンデンサ１９の端子間電圧Ｖc2が上限電圧以上となったときに、マイコン３０ｂのポートPonの出力をLowレベル（G5レベル）にすると共に、ポートPoffの出力を瞬間的にHigh（V5レベル）とする（Low→High→Lowのパルス出力）。これにより、スイッチング電源回路１２の作動が停止する。
【００４９】
このように、スイッチング切換手段３２は、待機モードにおいて、コンデンサ１９の端子間電圧Ｖc2が下限電圧以下になったときに、スイッチング電源回路１２を作動させてコンデンサ１９を充電し、コンデンサ１９の端子間電圧Ｖc2が上限電圧（＞下限電圧）以上になったときに、スイッチング電源回路１２の作動を停止して、コンデンサ１９の放電電力によりマイコン３０ｂの動作を維持する処理を、繰り返し実行する。そして、これにより、商用電源１から供給される電力の消費を抑制している。
【００５０】
なお、スイッチング電源回路１２を作動させてコンデンサ１９を端子間電圧Ｖc2が上限電圧以上になるまで充電するのに要する時間（充電所要時間）と、コンデンサ１９を端子間電圧Ｖc2が上限電圧以上になるまで充電した状態から、端子間電圧Ｖc2が下限電圧まで低下するのに要する時間（放電可能時間）は、コンデンサ１９の容量と、マイコン３０ｂの消費電力と、スイッチング電源回路１２からＤＣ／ＤＣコンバータ１４への供給電力等によって推定することができる。
【００５１】
そこで、コンデンサ１９の端子間電圧Ｖcを監視する構成に代えて、運転モードから待機モードに切換えられたときに、放電可能時間が経過した時にスイッチング電源回路１２を作動させてコンデンサ１９を充電し、充電所要時間が経過したときにスイッチング電源回路１２の作動を停止する処理を繰り返す構成としてもよい。
【００５２】
なお、上記第１及び第２の実施形態では、本発明の蓄電手段としてコンデンサ５８，１９を示したが、バッテリ等の他の種類の蓄電手段を用いてもよい。
【符号の説明】
【００５３】
１…商用電源、２…漏電ブレーカ、１０ａ，１０ｂ…給湯装置本体、１２…スイッチング電源、１３…スイッチング電源ラッチ回路、１７…リモコン通信回路、３０ａ，３０ｂ…（給湯装置本体の）マイクロコンピュータ、３１ａ，３１ｂ…給湯制御手段、３２…スイッチング切換手段、１８…水量センサ、１９…コンデンサ（蓄電手段）、５０…リモコン、５６…スイッチ入力回路、５７…運転スイッチ、５８…コンデンサ（蓄電手段）、６０…（リモコンの）マイクロコンピュータ、６１…リモコン制御手段、６２…スイッチング切換手段。
【図１】
2011163600.tif 000003
【図２】
2011163600.tif 000004